(57)【特許請求の範囲】
【請求項１】
ケース本体と、戸板と、支持機構と、ばね機構と、位置決め機構とを含む展示ケースであって、
前記戸板は、前記ケース本体の前面に設けられた開口部に対し前後方向に移動して開位置及び閉位置に開閉し、
前記支持機構は、前記ケース本体に対し前記前後方向に移動可能であると共に、前記戸板を前記前後方向と直交する横方向に摺動し得るように支持し、
前記ばね機構は、先端に膨出部を有するガイド棒を、ケース本体に固定した支持片に通した状態で前記支持機構から前記前後方向に突出させ、前記支持片と前記支持機構との間の前記ガイド棒上に第１のコイルばねを配置し、前記支持片と前記膨出部との間の前記ガイド棒上に第２のコイルばねを配置し、
前記位置決め機構は、前記戸板を前記閉位置で拘束する第１拘束位置及び前記開位置で拘束する第２拘束位置でそれぞれ前記支持機構を拘束したことを特徴とする展示ケース。
【請求項２】
前記第１拘束位置では、前記第１のコイルばねが圧縮状態となると同時に前記第２のコイルばねが非圧縮状態となり、前記第２拘束位置では、前記第１のコイルばねが非圧縮状態となると同時に前記第２のコイルばねが圧縮状態となるように前記ガイド棒上に前記第１のコイルばね及び第２のコイルばねを配置したことを特徴とする請求項１に記載の展示ケース。
【発明の詳細な説明】
【技術分野】
【０００１】
本発明は、展示ケースに関する。
【背景技術】
【０００２】
従来、美術館や博物館などで展示品を収容する展示ケースや、小売店などで商品を収納する展示ケースとして、種々の構造のものが提案され、実用に供されている。一例として、特許文献１、２に記載されたものが知られている。
【０００３】
特許文献１、２に記載された展示ケースは、ケース本体と、ケース本体の前面開口部を略面一に閉止する戸板と、戸板をその厚み方向に沿って出入自在に支持する支持機構と、戸板を幅方向に沿って開閉可能に支持するガイド機構とを具備し、ケース本体の前面において、戸板を、その厚み方向（前後方向）及び左右方向に移動させることができるようになっている。支持機構は、ピニオン部と、このピニオン部の回転運動を直線運動へと変換するラック部とによって構成されている。
【０００４】
ところで、この種の展示ケースでは、戸板に前後方向の外力が加わっても、戸板が一旦設定された閉止位置から前後方向に移動しないようにし、隣接する戸板との間で段差が生じたり、或いは展示品に接触したりしないようにする必要がある。
【０００５】
また、戸板に前後方向の外力が加わっても、戸板が一旦設定された開放位置から前後方向に移動しないようにし、戸板を幅方向に沿って移動する際に、他の戸板と接触する等の不具合をなくす必要がある。
【０００６】
特許文献１、２は、ピニオン部とラック部との組合せを開示するに留まり、上述したような課題についての解決手段が開示されていない。
【先行技術文献】
【特許文献】
【０００７】
【特許文献１】特開２００３−２４１９０号公報
【特許文献２】特開２００３−２４１９２号公報
【発明の概要】
【発明が解決しようとする課題】
【０００８】
本発明の課題は、戸板を前後方向の２つの位置（閉位置、開位置）に拘束し、その位置で戸板を安定に開閉することができ、一旦設定された戸板の位置が、戸板の開閉動作に伴って変動するのを抑止し得る展示ケースを提供することである。
【課題を解決するための手段】
【０００９】
上述した課題を解決するため、本発明に係る展示ケースは、ケース本体と、戸板と、支持機構と、ばね機構と、位置決め機構とを含む展示ケースであって、前記戸板は、前記ケース本体の前面に設けられた開口部に対し前後方向に移動して開位置及び閉位置に開閉し、前記支持機構は、前記ケース本体に対し前記前後方向に移動可能であると共に、前記戸板を前記前後方向と直交する横方向に摺動し得るように支持し、前記ばね機構は、先端に膨出部を有するガイド棒を、ケース本体に固定した支持片に通した状態で前記支持機構から前記前後方向に突出させ、前記支持片と前記支持機構との間の前記ガイド棒上に第１のコイルばねを配置し、前記支持片と前記膨出部との間の前記ガイド棒上に第２のコイルばねを配置し、前記位置決め機構は、前記戸板を前記閉位置で拘束する第１拘束位置及び前記開位置で拘束する第２拘束位置でそれぞれ前記支持機構を拘束したことを特徴とする。
【００１０】
上述したように、本発明に係る展示ケースは、ケース本体と、戸板と、支持機構と、ばね機構と、位置決め機構とを含み、戸板はケース本体の前面に設けられた開口部を開閉し、支持機構は、前後方向と直交する横方向に摺動し得るように戸板を支持するから、戸板を、支持機構よって支持しながら、前後方向と直交する横方向に摺動させ、ケース本体の前面に設けられた開口部を開閉することができる。
【００１１】
本発明に係る展示ケースは、位置決め機構を含んでおり、この位置決め機構は、前後方向における位置の異なる第１拘束位置及び第２拘束位置で、支持機構を拘束（ロック）し、かつ、その位置で戸板の横方向への摺動を許容する。一般には、第１拘束位置は、戸板閉位置であり、第２拘束位置は戸板開位置である。従って、戸板閉位置及び開位置で、戸板の横方向への摺動が可能であり、戸板の横方向への開閉動作に関わらず、戸板が前後方向への変動が抑止される。
【００１２】
しかも、位置決め機構は、第１拘束位置及び第２拘束位置で、互いに逆方向のばね圧を支持機構に加えるから、第１拘束位置から第２拘束位置への移行、及び、第２拘束位置から第１拘束位置への移行を、ばね圧を利用して、スムーズに実行することができる。移行した後は、拘束が容易に外れないようなばね圧が支持機構に加わるから、拘束状態を安定に維持することができる。
【００１３】
位置決め機構は、具体的には、拘束機構と、ばね機構７３，７５とを含むことができる。この場合、前記拘束機構は、前記第１拘束位置及び第２拘束位置に前記支持機構を拘束し、その拘束を解除する。前記ばね機構７３，７５は、前記第１拘束位置及び前記第２拘束位置において互いに逆方向のばね圧を前記支持機構に加える。このような位置決め機構によれば、所期の目的を確実に達成することができる。
【発明の効果】
【００１４】
以上述べたように、本発明によれば、戸板を前後方向の２つの位置（閉位置、開位置）に容易に拘束し、その位置で戸板を安定に開閉することができ、一旦設定された戸板の位置が、戸板の開閉動作に伴って変動するのを抑止し得る展示ケースを提供することができる。
【００１５】
本発明の他の目的、構成及び利点については、添付図面を参照し、更に詳しく説明する。添付図面は、単に、例示に過ぎない。
【図面の簡単な説明】
【００１６】
【図１】本発明の実施形態に係る展示ケースの概略的な構成を示す斜視図である。
【図２】図１に示した展示ケースの概略的な構成を示す部分断面図である。
【図３】図２の３−３線拡大部分断面図である。
【図４】図１〜図３に示した展示ケースの操作を説明する図である。
【図５】図１〜図３に示した展示ケースの操作を説明する図である。
【図６】図５の位置から更に進んだ動作状態を示す図である。
【図７】図６の位置から更に進んだ動作状態を示す図である。
【図８】本発明の実施形態に係る展示ケースの別の例を示す図である。
【発明を実施するための形態】
【００１７】
図１〜図３を参照すると、本発明に係る展示ケースは、ケース本体１と、戸板３と、第１支持機構５１及び第２支持機構５２と、位置決め機構７Ａ〜７Ｄとを含む。
【００１８】
ケース本体１は、限定を伴わない一般的な外形形状として、６面体状となっており、６面のうち、前後方向Ｘで見た一面側の前面に開口部１０１（図２参照）を有する。その他の面は、底面板１０２、上面板１０３及び側面板１０４で閉じられている。ケース本体１の各面板１０２〜１０４は、木質系、金属系、ガラス系、合成樹脂系又はそれらの組合せ等によって構成することができる。
【００１９】
戸板３は、ケース本体１の前面に設けられた開口部１０１を開閉する。戸板３も、木質系、金属系、ガラス系、合成樹脂系又はそれらの組合せ等によって構成することができる。戸板３は、上下方向Ｚで見た両端縁に沿って、上ガイド部３０２及び下ガイド部３０１を設けてある。上ガイド部３０２及び下ガイド部３０１は、バー状であって、前後方向Ｘ及び上下方向Ｚと直交する横方向Ｙに延びている。上ガイド部３０２及び下ガイド部３０１は、戸板３の内面、即ち、ケース本体１と向き合う面に、例えば、ネジ等の機械的結合、接着剤を用いた接合又はそれらの組合せによって、固定して取り付けることができる。
【００２０】
第１支持機構５１及び第２支持機構５２は、好ましくは、戸板３の上下方向の両端に設けられ、前後方向Ｘと直交する横方向Ｙに摺動し得るように戸板３を支持する。図示の第１支持機構５１及び第２支持機構５２は、バー状であって、上ガイド部３０２及び下ガイド部３０１と対向するように組み合わされる。
【００２１】
第１支持機構５１は、下ガイド部３０１と対向する面上に、複数の突片５１１が、間隔をおいて突設されている。これらの突片５１１は、下ガイド部３０１の案内溝の内部に脱落しない状態で、緩くはまり込んで、横方向Ｙに案内される。
【００２２】
第２支持機構５２は、上ガイド部３０２と対向する面上に、複数の突片５２１が、間隔をおいて突設されている。これらの突片５２１は、上ガイド部３０２の案内溝の内部に脱落しない状態で、緩くはまり込んで、横方向Ｙに案内される。
【００２３】
位置決め機構７Ａ〜７Ｄは、この実施の形態では、図１に図示するように、４つ備えられている。もっとも、その個数は増減できる。位置決め機構７Ａ〜７Ｄのうち、位置決め機構７Ａ、７Ｂは、戸板３の横方向Ｙの一端側において、上下方向Ｚの相対する位置に設けられており、位置決め機構７Ｃ、７Ｄは、戸板３の横方向Ｙの他端側において、上下方向Ｚの相対する位置に設けられている。
【００２４】
位置決め機構７Ａ〜７Ｄは、互いに同様の構造であり、同様の作用を果たすので、以下、位置決め機構７Ａの動作に焦点を合わせて説明する。位置決め機構７Ａは、前後方向Ｘで見た位置が互いに異なる第１拘束位置Ｐ１１及び第２拘束位置Ｐ１２で、第１支持機構５１を拘束し、互いに逆方向のばね圧を第１支持機構５１に加え、かつ、戸板３の横方向Ｙへの摺動を許容する。この動作を実現するため、位置決め機構７Ａは、図２及び図３に図示するように、拘束機構７１と、ばね機構７３，７５とを含む。拘束機構７１は、第１支持機構５１を第１拘束位置Ｐ１１及び第２拘束位置Ｐ１２に拘束し、その拘束を解除する。
【００２５】
拘束機構７１は、より詳しくは、ロッド拘束部材７1１，７1２と、ロッド駆動装置７１３とを備える。ロッド拘束部材７1１，７1２は、実施例では、間隔をおいて、２つ備えられており、それぞれは、第１支持機構５１に一体的にとりつけられている。ロッド拘束部材７1１には、第１拘束位置Ｐ１１となる第１止め孔７１４と、第２拘束位置Ｐ１２となる第２止め孔７１５が、間隔をおいて形成されている。ロッド拘束部材７1２には、第１拘束位置Ｐ１１となる第１止め孔７１６と、第２拘束位置Ｐ１２となる第２止め孔７１７が、間隔をおいて形成されている。
【００２６】
ロッド駆動装置７１３は、第１支持機構５１から独立し、ケース本体１の例えば底面板１０２に取り付けられている。ロッド駆動装置７１３は、その横方向Ｙの両側に突出する２本のロッド７２１，７２２を有しており、これらのロッド７２１，７２２は、その先端がロッド拘束部材７1１，７1２の第１拘束位置Ｐ１１となる第１止め孔７１４または第２拘束位置Ｐ１２となる第２止め孔７１５に進入し、または、後退し得るようになっている。ロッド７２１，７２２の先端部は、案内部材７７１，７７２によって支持してある。
【００２７】
第１止め孔７１４及び第２止め孔７１５に対するロッド７２１の進入、後退、及び、第１止め孔７１６及び第２止め孔７１７に対するロッド７２２の進入、後退は、ロッド駆動装置７１３の操作によって実行される。そのようなロッド駆動装置７１３は、さまざまな形態として実現できる。その一例として、この実施例では、レンチ等の操作具によって、ロッド駆動装置７１３に備えられた操作端７１６を回転させ、それによってロッド７２１，７２２を進入させ、又は、後退させる場合を例にとって説明する。
【００２８】
ばね機構７３，７５のそれぞれは、ロッド拘束部材７１１，７１２の外側の位置に備えられている。このうち、ばね機構７３は、第１拘束位置Ｐ１１及び第２拘束位置Ｐ１２において、互いに逆方向のばね圧を第１支持機構５１に加える。実施の形態では、第１支持機構５１にガイド棒７３１を設けるとともに、このガイド棒７３１を、ケース本体１の底面板１０２に固定して設けた支持片７３２に緩く通し、第１支持機構５１と支持片７３２との間、及び、支持片７３２とガイド棒７３１の先端部との間に、それぞれ、第１コイルばね７５３及び第２コイルばね７３４を配置した構造になっている。
【００２９】
ばね機構７５は、ばね機構７３と同様の構造を持ち、第１拘束位置Ｐ１１及び第２拘束位置Ｐ１２において、互いに逆方向のばね圧を第１支持機構５１に加える。実施の形態では、第１支持機構５１にガイド棒７５１を設けるとともに、このガイド棒７５１を、ケース本体１の底面板１０２に固定して設けた支持片７５２に緩く通し、第１支持機構５１と支持片７５２との間、及び、支持片７５２とガイド棒７５１の先端膨出部との間に、それぞれ、第１コイルばね７５３及び第２コイルばね７５４を配置した構造になっている。図示は省略するが、位置決め機構７Ｂ〜７Ｄも、位置決め機構７Ａと同様の構造をもっている。
【００３０】
次に、操作について説明する。図１〜図３の実施の形態では、位置決め機構７Ａの他、位置決め機構７Ｂ〜７Ｄも有するところ、位置決め機構７Ｂ〜７Ｄは位置決め機構７Ａと同様の構造であり、同様の作用を果たすので、以下、位置決め機構７Ａの動作に焦点を合わせて説明する。
【００３１】
図４は、ケース本体１の開口部１０１が、戸板３によって閉塞されている閉位置を示す。この状態では、位置決め機構７Ａのロッド７２１，７２２の先端が、第１支持機構５１と一体をなすロッド拘束部材７1１，７1２の第１止め孔７１４、７１６の内部に挿入され、第１支持機構５１は、第１拘束位置Ｐ１１で拘束（ロック）されている。
【００３２】
ばね機構７３では、第１コイルばね７３３が、第１支持機構５１と支持片７３２の間で圧縮され、支持片７３２とガイド棒７３１，７５１の先端膨出部７３５との間の第２コイルばね７３４は非圧縮状態にある。
【００３３】
ばね機構７５は、第１コイルばね７５３が、第１支持機構５１と支持片７５２との間で圧縮され、支持片７５２とガイド棒７５１の先端膨出部７５５の間の第２コイルばね７５４は非圧縮状態にある。
【００３４】
この状態では、第１支持機構５１は、前後方向Ｘへの動きが拘束されているが、横方向へＹへの摺動が禁止されているわけではない。従って、図４に示すように、戸板３を横方向Ｙ１に往復摺動させることができる。
【００３５】
次に、図４の状態において、図示しないレンチ等の操作具によって、ロッド駆動装置７１３に備えられた操作端７１６を、図５に示すように、矢印Ｒ１の方向に回転させると、ロッド７２１，７２２の先端が、矢印Ｙ１１，Ｙ１２の方向に移動し、第１止め孔７１４、７１６から退出する。すると、ロッド７２１，７２２に対する第１止め孔７１４、７１６による掛け止め機能（ロック機能）が解除され、ロッド７２１，７２２が、第１コイルばね７３３、７５３の反発力を受けて、第１支持機構５１が矢印Ｘ１の方向、つまり、前方に移動する。この移動は中間的な動作であって、第１支持機構５１は、第１コイルばね７３３、７５３及び第２コイルばね７３４，７５４の何れの圧縮力からも自由になる。
【００３６】
次に、図６に示すように、レンチ等の操作具によって、ロッド駆動装置７１３に備えられた操作端７１６を、図６に示すように、矢印Ｆ１の方向に回転させると、ロッド７２１，７２２の先端が、第２止め孔７１５，７１７にすべるように進入し、第２拘束位置Ｐ１２に拘束される。この状態では、第２コイルばね７３４，７５４が、支持片７３２，７５２とガイド棒７３１，７５１の先端膨出部７３５，７５５との間で圧縮され、その反発力を受けて、第１支持機構５１が矢印Ｘ１の方向、つまり、前方に移動し、その状態にロックされる。この状態では、戸板３の横方向Ｙへの摺動は許容されているので、図７に示すように、戸板３を横方向Ｙ１に摺動させることができる。説明は、省略するが、他の位置決め装置７Ｂ〜７Ｄにおいても、同様の動作が起こる。
【００３７】
上述したように、本発明に係る展示ケースは、ケース本体１と、戸板３と、第１支持機構５１及び第２支持機構５２とを含み、戸板３はケース本体１の前面に設けられた開口部１０１を開閉し、第１支持機構５１及び第２支持機構５２は、前後方向Ｘと直交する横方向Ｙに摺動し得るように戸板３を支持するから、戸板３を、第１支持機構５１及び第２支持機構５２よって支持しながら、前後方向Ｘと直交する横方向Ｙに摺動させ、ケース本体１の前面に設けられた開口部１０１を開閉することができる。
【００３８】
本発明に係る展示ケースは、位置決め機構７Ａ〜７Ｄを含んでおり、この位置決め機構７Ａ〜７Ｄは、前後方向Ｘにおける位置の異なる第１拘束位置Ｐ１１及び第２拘束位置Ｐ１２で、第１支持機構５１及び第２支持機構５２を拘束（ロック）し、かつ、その位置で戸板３の横方向Ｙへの摺動を許容する。一般には、第１拘束位置Ｐ１１は、戸板３の閉位置であり、第２拘束位置Ｐ１２は戸板３の開位置である。従って、戸板３の閉位置及び開位置で、戸板３の横方向Ｙへの摺動が可能であり、戸板３の横方向Ｙへの開閉動作に関わらず、戸板３が前後方向Ｘへの変動が抑止される。
【００３９】
しかも、位置決め機構７Ａ〜７Ｄは、第１拘束位置Ｐ１１及び第２拘束位置Ｐ１２で、互いに逆方向のばね圧を第１支持機構５１及び第２支持機構５２に加えるから、第１拘束位置Ｐ１１から第２拘束位置Ｐ１２への移行、及び、第２拘束位置Ｐ１２から第２拘束位置Ｐ１２への移行を、ばね圧を利用して、スムーズに実行することができる。移行した後は、拘束が容易に外れないようなばね圧が、第１支持機構５１及び第２支持機構５２に加わるから、拘束状態を安定に維持することができる。
【００４０】
図８を参照すると、上下の位置決め機構７Ａ〜７Ｄを、連結部材９で連携し、協働的に動作させるようにした形態を示す。即ち、例えば、下側の位置決め機構７Ａ、７Ｃを操作することによって、上側の位置決め機構７Ｂ、７Ｄを動作させるようにしたものである。連結部材９は、リンク、チェーン、ワイヤ等によって構成することができる。
【００４１】
以上、好ましい実施例を参照して本発明の内容を具体的に説明したが、本発明の基本的技術思想及び教示に基づいて、当業者であれば、種種の変形態様を採り得ることは自明である。
【符号の説明】
【００４２】
１                    ケース本体
３                    戸板
５１                    第１支持機構材
７Ａ〜７Ｄ                    位置決め機構
【要約】
【課題】戸板を前後方向の２つの位置（閉位置、開位置）に拘束し、その位置で戸板を安定に開閉することができ、一旦設定された戸板の位置が戸板の開閉動作に伴って変動するのを抑止し得る展示ケースを提供する。
【解決手段】  ケース本体１と、戸板３と、支持機構５１，５２と、位置決め機構７Ａ〜７Ｄとを含む。戸板３は、ケース本体１の前面に設けられた開口部１０１を開閉する。支持機構５１，５２は、前後方向Ｘと直交する横方向Ｙに摺動し得るように戸板３を支持する。位置決め機構７Ａ〜７Ｄは、前後方向Ｘにおける位置の異なる第１拘束位置Ｐ１１及び第２拘束位置Ｐ１２で、支持機構５１，５２を拘束し、互いに逆方向のばね圧を支持機構５１，５２に加え、かつ、戸板３の横方向Ｙへの摺動を許容する。
【選択図】図３【図１】
0005727077.tif 000002
【図２】
0005727077.tif 000003
【図３】
0005727077.tif 000004
【図４】
0005727077.tif 000005
【図５】
0005727077.tif 000006
【図６】
0005727077.tif 000007
【図７】
0005727077.tif 000008
【図８】
0005727077.tif 000009